(57)【要約】      （修正有）【課題】従来不可欠であった補給スイッチを不要としたことにより、上皿からの玉こぼれがなく、かつ上皿の玉数を常時一定に保つことができるパチンコ玉補給制御装置を提供する。【解決手段】パチンコ遊技機におけるパチンコ玉の補給において、パチンコ台１からの払出し信号Ａとカードリーダー（ＣＲ）サンド３からの売り上げ信号Ｂを取り込み、かつ補給メータ４の補給信号Ｃと比較して前記パチンコ台１から払出しされる玉数を把握し、払い出された玉数のみを上皿２に補給する。【選択図】図１
0003121631.tif 000002
【実用新案登録請求の範囲】
【請求項１】
パチンコ遊技機におけるパチンコ玉の補給において、パチンコ台からの払出し信号とカードリーダー（ＣＲ）サンドからの売り上げ信号を取り込み、かつ補給メータの補給信号と比較して前記パチンコ台から払出しされる玉数を把握し、払い出された玉数のみを補給することを特徴とするパチンコ遊技機におけるパチンコ玉補給制御装置。
【考案の詳細な説明】
【技術分野】
【０００１】
本考案は、パチンコ遊技機におけるパチンコ玉補給制御装置に関し、更にくわしくは、パチンコ台への玉の補給をデジタル化し、払い出された玉数のみ（好ましくは、１０個単位で）補給できる装置にして、かつ不正による異常な玉の払出しを監視することができる装置に関するものである。
【背景技術】
【０００２】
現今、パチンコ遊技機におけるパチンコ台への玉の補給は、パチンコ台の上皿に取り付けられた外付けの補給スイッチの信号によって随時、玉補給をする第一の方式があり、また、補給スイッチの信号によって２００個乃至４００個など設定された玉数で補給を開始する第二の方式があり、更には、所謂垂れ流し方式と称されるもので、上皿と玉の出てくるパイプの隙間をなくして、玉がいっぱいになってつっかえるまで玉を補給するという第三の方式がある。
【０００３】
このように、従来、いずれの方式も機構的な方式であって、あふれる玉の量によって補給のスタート、ストップを制御している。
【０００４】
ところで、上記第一の方式は、皿スイッチ、レバースイッチ、箱型マイクロスイッチと補給スイッチの種類はあるが、パチンコ台のメーカーによって上皿の形状が異なるため、取り付けが困難であり、また、取付け位置によっては玉こぼれを起こす場合がある。
【０００５】
また、第二の方式においても、第一の方式とほぼ同じ問題点がある。
【０００６】
更に、第三の方式は、パチンコ台の開け閉めで数個の玉こぼれを起こす場合がある。
【０００７】
また、いずれの方式も、不正に玉を払い出されても、パチンコ台の上皿に玉が無くなれば自動的に補給しているため、不正の発見が遅れてしまうという問題点がある。
【考案の開示】
【考案が解決しようとする課題】
【０００８】
本考案が解決しようとする問題点は、補給スイッチが必要であって、補強スイッチに不具合が生じた時上皿から玉がこぼれるという点である。
【０００９】
また、本考案が解決しようとする問題点は、上皿の玉数を常時一定に保つことができないという点である。
【００１０】
また、本考案が解決しようとする問題点は、不正による玉出しが防止できないという点である。
【００１１】
したがって、本考案の目的は、従来不可欠であった補給スイッチを不要としたパチンコ玉補給制御装置を提供することにある。
【００１２】
また、本考案の他の目的は、補給スイッチを不要としたことにより、上皿からの玉こぼれがないパチンコ玉補給制御装置を提供することにある。
【００１３】
また、本考案の他の目的は、上皿の玉数を常時一定に保つ（１００個単位で設定できる）ことができるパチンコ玉補給制御装置を提供することにある。
【００１４】
更にまた、本考案の他の目的は、不正による玉出しを防止できるパチンコ玉補給制御装置を提供することにある。
【課題を解決するための手段】
【００１５】
本考案は、パチンコ遊技機におけるパチンコ玉の補給において、パチンコ台からの払出し信号とカードリーダー（ＣＲ）サンドからの売り上げ信号を取り込み、かつ補給メータの補給信号と比較して前記パチンコ台から払出しされる玉数を把握し、払い出された玉数のみを補給することを主要な特徴とする。
【考案の効果】
【００１６】
本考案のパチンコ遊技機におけるパチンコ玉補給制御装置は、パチンコ台からの払出し信号とカードリーダー（ＣＲ）サンドからの売り上げ信号を取り込み、かつ補給メータの補給信号と比較してパチンコ台から払出しされる玉数を把握し、払い出された玉数のみを補給するものであって、補強スイッチが必要でないから、補強スイッチの不具合による上皿からの玉こぼれがなく、かつ上皿の玉数を常時一定に保つことができるという利点がある。
【００１７】
また、本考案のパチンコ遊技機におけるパチンコ玉補給制御装置は、払出し信号と補給信号の差を比較してその片方の数値が大きくなった時、異常状態として警報を出すことによって、不正による玉出しを防止できるという利点がある。
【考案を実施するための最良の形態】
【００１８】
以下に図面を参照して、本考案を実施するための最良の形態についてその作用と共に説明する。
【００１９】
図１は、本考案を実施した全体の模式図であり、図２は、本考案に係るパチンコ玉補給制御装置の模式図である。
【００２０】
図１において、１はパチンコ台で裏側を示し、２はパチンコ台に設けられた上皿、３はカードリーダー（ＣＲ）サンド（以下、単にサンドという）、４は既存の補給メータ、５は呼出しランプであり、１０はパチンコ玉補給制御ユニット（以下、単にユニットという）で、該ユニット１０は、その外面に電源ＬＥＤ１１と稼動ＬＥＤ１２が設けられ、稼動ＬＥＤ１２はホールコンによる打ち止めの場合は消灯する。１３は補給メータ４の出力信号を表示する補給出力ＬＥＤ、１４、１５は警報出力を表示する警報ＬＥＤである。
【００２１】
また、ユニット１０には、特に図示しないが、心臓部である中央演算処理装置（ＣＰＵ）などが内装されている。
【００２２】
そして、このユニット１０は、殆どのメーカーの補給メータ４に対応でき、パチンコ台１とは分離した適所に配置されている。
【００２３】
図１及び図２に示されているように、パチンコ台１からの払出し信号Ａ、サンド３からのサンド売上信号Ｂ、手動スイッチによる信号Ｄのいずれかの信号が（設定により玉数１０個乃至２００個に分けられる）ユニット１０に入力されると、該ユニット１０から補給信号Ｅが出力されて補給メータ４のゲートが開かれるとともに、補給メータ４からの補給メータ信号Ｃがユニット１０に入力されて両信号Ｅ、Ｃが比較され、必要な数だけの玉が上皿２に補給される。
【００２４】
補給メータ信号Ｃが補給出力Ｅに追いついた時、補給出力Ｅの出力は止まり、補給メータ４のゲートは閉じられて玉の補給は停止される。
【００２５】
次に、補給メータ信号Ｃの信号数が払出し信号Ａ、サンド売上信号Ｂ、手動スイッチ信号Ｄのいずれかの信号数と同じか、或いはそれよりも多くなった場合には、次にくる払出し信号Ａ、サンド売上信号Ｂ、手動スイッチ信号Ｄのいずれかの信号で相殺され、相殺後、再び払出し信号Ａ、サンド売上信号Ｂ、手動スイッチ信号Ｄのいずれかの信号の信号数が増えた時、補給出力Ｅが出力されて補給メータ４のゲートが開かれ、必要な玉数だけ上皿２に補給される。
【００２６】
補給メータ信号Ｃの信号数が払出し信号Ａ、サンド売上信号Ｂ、手動スイッチ信号Ｄのいずれかの信号の信号数より多くなった時、例えば、設定により１００個か５００個以上多くなった時、異常状態として異常警報信号Ｆが出力され、呼出しランプ５が点灯する。
【００２７】
次に、打ち止め信号Ｇが入力されると、払出し信号Ａ、サンド売上信号Ｂ、手動スイッチ信号Ｄのいずれかの信号の信号数と補給メータ信号Ｃの信号数との差があっても補給出力Ｅに出力せず、打ち止め信号Ｇがなくなってから各信号数との差を埋める分だけ補給出力Ｅに出力される。
【００２８】
次に、払出し信号Ａ、サンド売上信号Ｂ、手動スイッチ信号Ｄのいずれかの信号が入力されると、補給出力Ｅの出力にもかかわらず補給メータ信号Ｃの入力がない場合、例えば、設定により２１０個か５００個以上多くなった時、異常状態として異常警報信号Ｆが出力され、呼出しランプ５が点灯する。
【００２９】
異常状態として呼出しランプ５が点灯した場合には、係員による手動スイッチ信号Ｄの入力によってリセットされる。
【図面の簡単な説明】
【００３０】
【図１】本考案を実施した全体の模式図である。
【図２】本考案に係るパチンコ玉補給制御装置の模式図である。
【符号の説明】
【００３１】
１    パチンコ台
２    上皿
３    カードリーダー（ＣＲ）サンド
４    補給メータ
５    呼出しランプ
１０    パチンコ玉補給制御ユニット
Ａ    払出し信号
Ｂ    サンド売上信号
Ｃ    補給メータ信号
Ｄ    手動スイッチ信号
Ｅ    補給出力
Ｆ    異常警報信号
Ｇ    打ち止め信号
【図１】
0003121631.tif 000003
【図２】
0003121631.tif 000004
【手続補正書】
【提出日】平成18年3月9日(2006.3.9)
【手続補正１】
【補正対象書類名】実用新案登録請求の範囲
【補正対象項目名】全文
【補正方法】変更
【補正の内容】
【実用新案登録請求の範囲】
【請求項１】
上皿（２）を有するパチンコ台（１）、カードリーダー（ＣＲ）サンド（３）、補給メータ（４）及び前記パチンコ台（１）とは分離して配置された中央演算処理装置（ＣＰＵ）等が内装されたパチンコ玉補給制御ユニット（１０）を備え、
前記パチンコ台（１）からの払出し信号（Ａ）と前記カードリーダー（ＣＲ）サンド（３）からの売上信号（Ｂ）のいずれかの信号が前記パチンコ玉補給制御ユニット（１０）に入力されると、該パチンコ玉補給制御ユニット（１０）から補給信号（Ｅ）が出力されて前記補給メータ（４）のゲートが開かれるとともに、該補給メータ（４）からの補給メータ信号（Ｃ）が前記パチンコ玉補給制御ユニット（１０）に入力されて前記補給信号（Ｅ）と前記補給メータ信号（Ｃ）が比較され、払い出された玉数だけが前記補給メータ（４）から前記上皿（２）に補給される構成を特徴とするパチンコ遊技機におけるパチンコ玉補給制御装置。  
【手続補正２】
【補正対象書類名】明細書
【補正対象項目名】００１５
【補正方法】変更
【補正の内容】
【００１５】
本考案は、上皿２を有するパチンコ台１、カードリーダー（ＣＲ）サンド３、補給メータ４及び前記パチンコ台１とは分離して配置された中央演算処理装置（ＣＰＵ）等が内装されたパチンコ玉補給制御ユニット１０を備え、前記パチンコ台１からの払出し信号Ａと前記カードリーダー（ＣＲ）サンド３からの売上信号Ｂのいずれかの信号が前記パチンコ玉補給制御ユニット１０に入力されると、該パチンコ玉補給制御ユニット１０から補給信号Ｅが出力されて前記補給メータ４のゲートが開かれるとともに、該補給メータ４からの補給メータ信号Ｃが前記パチンコ玉補給制御ユニット１０に入力されて前記補給信号Ｅと前記補給メータ信号Ｃが比較され、払い出された玉数だけが前記補給メータ４から前記上皿２に補給される構成を特徴とする。